(57)【要約】【課題】カセットホルダーの左右両側壁部に設けられた案内ピンを、側面プレートに設けられた水平溝部とその水平溝部の一端部から連続して下方に伸びる垂直溝部とよりなるＬ字状の案内溝に摺動移動可能に係合し、一方の案内ピンを駆動源により駆動される第一の駆動アームの回動移動により、他方の案内ピンを前記第一の駆動アームの回動が同期軸を介して伝達される第二の駆動アームの回動によりそれぞれ前記案内溝に沿って摺動移動せしめてカセットホルダーを所定の位置まで可逆的に移動せしめるカセット装着装置に関するもので、前記同期軸のネジレなどにより第二の駆動アームの回動の遅れを補正する手段を提供する。【解決手段】前記第一の駆動アーム８側の案内溝３の垂直溝部から水平溝部に変わる変曲点１４の位置と、第二の駆動アーム８ａ側の案内溝３ａの変曲点１４ａの位置とを異ならしめ、両案内溝３，３ａの形状を左右非対称な形状とした。【選択図】　図１
2004047004.tif 000002
【特許請求の範囲】
【請求項１】
カセットを着脱可能に保持するカセットホルダーと、そのカセットホルダーの左右両側壁部材に対向して配置されており、水平方向に伸びる水平溝部とその水平溝部の一端部から連続して下方に伸びる垂直溝部とよりなる複数のＬ字状の案内溝を有する一対の側面プレートと、前記カセットホルダーの両側壁部材にそれぞれ突設され、前記案内溝に摺動移動可能に係合し、その摺動移動にともなって前記カセットホルダーをカセットの着脱可能な第一の位置から記録再生可能な第二の位置まで移動せしめる複数の案内ピンと、一端部がそれぞれ前記側面プレートに回動可能に固定され、他端部に前記案内ピンの一つが摺動移動可能に係合する直線状の長孔を有する一対の第一と第二の駆動アームと、前記一方の側面プレートに設けられた第一の駆動アームと他方の側面プレートに設けられた第二の駆動アームとを連結して、前記第一の駆動アームの回動を前記第二の駆動アームに伝達する同期軸と、前記第一の駆動アームを可逆的に回動する駆動源とを具備し、前記駆動源により前記第一の駆動アームを回動せしめることにより、前記案内ピンを前記案内溝に沿って可逆的に移動せしめて前記カセットホルダーを前記第一の位置と第二の位置との間を可逆的に移動せしめるカセット装着装置において、前記第一の駆動アーム側の案内溝の垂直溝部から水平溝部に変わる変曲点の位置と前記第二の駆動アーム側の案内溝の変曲点の位置とを異ならしめ、両案内溝の形状を非対称にしたことを特徴とするカセット装着装置。
【発明の詳細な説明】
【０００１】
【発明の属する技術分野】
本発明は、カセット式磁気記録再生装置におけるフロントローディング方式のカセット装着装置に関するものである。
【０００２】
【従来の技術】
近年、ビデオテープレコーダ（ＶＴＲ）等のテープカセットを使用したカセット式磁気記録再生装置のカセット装着装置は、カセットを前面から挿入装着する、所謂フロントローディング方式が主流である。以下図面を参照しながら前述のフロントローディング方式のカセット装着装置の一例について説明する。
【０００３】
図３は従来のカセット装着装置の要部を示す斜視図であり、図３において、１は、前面にカセットが着脱可能に挿入される開口を有し、挿入されたカセットを収納保持するカセットホルダーである。２，２ａ　は前記カセットホルダー１の両側に対向して位置するようにメカシャーシ（図示せず）に配置した側面プレートであり、３，３ａは前記側面プレート２，２ａに対称的に設けられたＬ字状をした案内溝で、通常はそれぞれ２本又は３本から構成されている。
【０００４】
この案内溝３，３ａは、それぞれカセツト挿入方向に水平に伸びた水平溝部とその水平溝部より垂直に下に伸びた垂直溝部からなるＬ字状に形成されている。
【０００５】
４，４ａはカセットホルダー１の両側に一体的に構成された側壁部材で、それぞれに前記側面プレート２，２ａに設けられた前記案内溝３，３ａに摺動移動可能に係合する案内ピン５，５ａ　が案内溝の数に対応して設けられている。
【０００６】
６は側面プレート２に回動自在に支持された伝達歯車、８，８ａ　は互いに同期軸７で連結され、前記側面プレート２，２ａにそれぞれ回動自在に支持された駆動アームで、その先端部に設けられた直線状の長孔９，９ａにカセットホルダー１の側壁部材４，４ａに設けられた前記案内ピン５，５ａの内の１つがそれぞれ摺動移動可能に係合されている。また、前記駆動アーム８の他端部は伝達歯車６と噛合する歯車を形成する構成となっている。１０はメカシャーシ（図示せず）に固定された駆動モーターで、ウオーム１１と、そのウオーム１１に噛合するウオームホイール１２を介して前記伝達歯車６を可逆的に駆動する。１３は側面プレート２，２ａ　を連結する上面プレートである。
【０００７】
以上のように構成された従来のカセット装着装置について、以下カセット装着時の動作について説明する。
【０００８】
カセットを前面からカセットホルダー１へ所定の位置まで挿入すると、スイッチ（図示せず）が働き、駆動モーター１０が回転をはじめ、ウオーム１１及びウオームホイール１２を介して伝達歯車６を回転させ、更に、噛合している駆動アーム８を回動せしめる。この駆動アーム８の回転は前記同期軸７を介して伝達され他方の駆動アーム８ａをも回動せしめる。
【０００９】
従って、駆動アーム８，８ａの回動に伴って、この駆動アーム８，８ａに設けられた長孔９，９ａに係合された案内ピン５，５ａは側面プレート２，２ａのＬ字状の案内溝３，３ａの水平溝部に沿って水平移動され、この結果、カセツトホルダー１も案内溝３，３ａの水平溝部に沿って水平移動され、さらなる駆動アーム８、８ａの回動にともなって案内溝３，３ａの垂直溝部を垂直移動し、垂直溝部の端部近傍まで下降してカセット装着動作を完了する。
【００１０】
カセット排出時には、駆動モーター１０を前述とは反対方向に回転せしめ、ウオーム１１及びウオームホイール１２を介して伝達歯車６を回転させ、更に噛合している駆動アーム８，８ａを回動せしめる。
【００１１】
従って、駆動アーム８，８ａに設けた長孔９，９ａに係合された案内ピン５，５ａと一体のカセットホルダー１は側面プレート２，２ａのＬ字状の案内溝３，３ａに沿って垂直移動から水平動作に至る移動を行い、カセット排出動作を完了する。
【００１２】
【発明が解決しようとする課題】
以上のように一対の駆動アーム８，８ａを用いたＬ字型のカセットローディングでは、駆動力を直接受けて回動する駆動側の駆動アーム８と、別部材である同期軸７を介して駆動力が伝達され回動する従動側の駆動アーム８ａとで構成されており、図２に示すように、カセット排出動作中において一対の駆動アーム８，８ａは、両駆動アーム８、８ａ及び同期軸７のネジレ、タワミ、取付けガタ　等の諸要因により、従動側の駆動アーム８ａが駆動側の駆動アーム８に比べて回転動作に若干の遅れ（図中β°）が生じる。なお、図２（ａ）は駆動側の駆動アーム８を、図２（ｂ）は従動側の駆動アーム８ａを示している。
【００１３】
従って、カセット排出時に、案内ピン５，５ａが左右両側面プレートのＬ字状の案内溝３，３ａに沿って垂直移動から水平動作に至る変曲点１４，１４ａを各々通過するタイミングが左右で異なっていた。すなわち、駆動側の駆動アーム８による案内ピン５は水平移動に至っても、他方の従動側の駆動アーム８ａによる案内ピン５ａは垂直移動中である。その結果、スムーズなカセットの排出動作ができず、商品の品格を下げる要因となっていた。
【００１４】
本発明は、以上のような問題点に鑑みカセット排出動作時の案内溝コーナーの変曲点を案内ピン５，５ａが同時に通過することにより、カセット排出時の品格に優れた滑らかなカセットの排出動作を行えるようにしたものである。
【００１５】
【課題を解決するための手段】
上記の問題点を解決するために本発明のカセット装着装置は、左右両側面プレートに設置するＬ字状案内溝の水平溝部と垂直溝部が略直交する変曲点を左右異なる位置に配置し、異なる案内溝コーナー部形状を設定することにより、カセット排出動作時の案内溝コーナーの変曲点を案内ピンが左右同時に通過することにより、カセット排出時の品格に優れた滑らかなカセットの排出動作を行えるようにしたものである。
【００１６】
【発明の実施の形態】
本発明の請求項１に記載の発明は、カセットを着脱可能に保持するカセットホルダーと、そのカセットホルダーの左右両側壁部材に対向して配置されており、水平方向に伸びる水平溝部とその水平溝部の一端部から連続して下方に伸びる垂直溝部とよりなる複数のＬ字状の案内溝を有する一対の側面プレートと、前記カセットホルダーの両側壁部材にそれぞれ突設され、前記案内溝に摺動移動可能に係合し、その摺動移動にともなって前記カセットホルダーをカセツトの着脱可能な第一の位置から記録再生可能な第二の位置まで移動せしめる複数の案内ピンと、一端部がそれぞれ前記側面プレートに回動可能に固定され、他端部に前記案内ピンの一つが摺動移動可能に係合する直線状の長孔を有する一対の第一と第二の駆動アームと、前記一方の側面プレートに設けられた第一の駆動アームと他方の側面プレートに設けられた第二の駆動アームとを連結して、前記第一の駆動アームの回動を前記第二の駆動アームに伝達する同期軸と、前記第一の駆動アームを可逆的に回動する駆動源とを具備し、前記駆動源により前記第一の駆動アームを回動せしめることにより、前記案内ピンを前記案内溝に沿って可逆的に移動せしめて前記カセットホルダーを前記第一の位置と第二の位置との間を可逆的に移動せしめるカセット装着装置において、前記第一の駆動アーム側の案内溝の垂直溝部から水平溝部に変わる変曲点の位置と前記第二の駆動アーム側の案内溝の変曲点の位置とを異ならしめ、両案内溝の形状を非対称にしたことを特徴とするカセット装着装置であり、この構成によれば、従来の機械的構成を変更することなく、カセット排出動作時に両側面プレートに設けられた案内溝の変曲点を両案内ピンが左右同時に通過することを可能にし、カセット排出動作の感触が極めて良い高品格のカセット装着装置を低コストにて実現できるのである。
【００１７】
（実施の形態）
以下に、本発明の請求項１に記載された発明の実施の形態について、図１、図３を用いて説明する。図中従来例と同一名称部分については同一符号を使用し、その説明は一部省略する。
【００１８】
図１（ａ），（ｂ）に示すように、カセット装着装置の左右側面プレート２，２ａにそれぞれ設けたＬ字状の案内溝３，３ａの変曲点１４，１４ａを左右異なる位置に配置し、異なる案内溝コーナー部形状に設定する。すなわち、駆動側の駆動アーム８により駆動される案内ピン５の記録再生時に位置する最終位置から変曲点１４に至る距離を、従動側駆動アーム８ａにより駆動される案内ピン５ａの最終位置から変曲点１４ａに至る距離よりも長く設定してある。
【００１９】
このように、左右異なる位置に前記変曲点１４，１４ａを設けた一対の側面プレート２，２ａにて構成されたカセット装着装置について、以下カセット装着時の動作について説明する。
【００２０】
カセット装着の一連の動作において、前述のとおり水平移動から垂直移動に至る左右案内溝３，３ａの変曲点１４，１４ａの位置が異なる為に、この変曲点を左右一対の駆動アーム８，８ａによる案内ピン５、５ａが通過するタイミングが異なることとなる。
【００２１】
しかしながら、従来よりカセット装着の一連の動作における水平移動動作、あるいは水平移動から垂直動作への移行動作においては、たとえば自重に逆らう動作等と言った動きを阻害する力は存在しておらず、左右における前記変曲点の通過タイミングが若干ずれようとも、スムーズなカセット装着動作を維持する事が可能であり、左右異なる位置に前記変曲点１４，１４ａを設けたことへの副作用とはならないのである。
【００２２】
したがって、案内溝の変曲点形状が左右非対称にもかかわらず従来のカセット装着動作となんら変わることなく、高品格を保った滑らかな装着感が得られるのである。
【００２３】
次に、本発明の要部となるカセット排出時の動作について説明する。
【００２４】
従来のカセット排出動作と同様に前記モータ１０により回動せしめられた前記駆動アーム８，８ａに設けられた長孔９，９ａに係合された前記案内ピン５，５ａと一体の前記カセットホルダー１が、前記側面プレート２，２ａのＬ字状の案内溝３，３ａに沿って垂直上昇移動を行う。この時、前述のとおり一対の駆動アーム、すなわち、駆動力を直接受けて回動する駆動側の駆動アーム８と別部材の同期軸７を介して駆動力が伝達され回動する従動側の駆動アーム８ａとにより構成された一対の駆動アームは、前述同様に両駆動アーム及び介在部材のネジレ、タワミ、取付けガタ　等の諸要因により、従動側の駆動アーム８ａは駆動側の駆動アーム８に比べて回転動作に若干の遅れ（図中β°）が生じる。
【００２５】
図１に一例を示すように、Ｌ字状の案内溝の変曲点１４，１４ａを左右異なる位置に配置し、異なる案内溝コーナー部形状とすることで、駆動側の駆動アーム８により移動する案内ピン５の垂直上昇移動から水平動作に移行する変曲点の通過タイミングを物理的に遅延せしめることができる。
【００２６】
したがって、従動側の駆動アーム８ａが駆動側の駆動アーム８より回動が遅れる（図中β°）構成であるにもかかわらず、案内溝変曲点を左右非対称とすることで案内ピン５，５ａが各々案内溝の変曲点を通過するタイミングの遅延によるズレを補正できるのである。
【００２７】
すなわち、この構成をとることで一連のカセット排出動作において、カセットの垂直上昇移動から水平前方移動への移行タイミングの左右ズレをなくし同期させることを可能となり、スムーズなカセット排出動作が得られる。その結果、従来より動作感触の極めて良い高品格を具えたカセット装着装置を従来例の機械的構成を変えることなく実現できるのである。また、この高品格のカセット装着装置をコストアップすることなく低コストにて実現したことはいうまでもない。
【００２８】
【発明の効果】
以上のように、本発明のカセット装着装置によれば、左右両側面プレートに各々設けたＬ字状の案内溝の変曲点を左右非対称とすることで、一連のカセット排出動作において左右駆動アームにより駆動される案内ピンが各々案内溝変曲点を通過するタイミングの遅延によるズレを補正し同期することを可能とし、カセットの吸い込み、吐き出し動作が滑らかで感触が良い高品格のカセット装着装置を低コストにて提供することが可能となる。
【図面の簡単な説明】
【図１】本発明の一実施の形態におけるカセット装着装置のカセット排出動作時の要部側面図
【図２】従来の一実施の形態におけるカセット装着装置のカセット排出動作時の要部側面図
【図３】従来のカセット装着装置の斜視図
【符号の説明】
１　　カセットホルダー
２，２ａ　側面プレート
３，３ａ　案内溝
４，４ａ　側壁部材
５，５ａ　案内ピン
６　　伝達歯車
７　　同期軸
８　　駆動側の駆動アーム
８ａ　　従動側の駆動アーム
９，９ａ　案内孔
１０　モーター
１１　ウオーム
１２　　ウオームホイール
１３　上面プレート
１４，１４ａ　案内溝の変曲点
【図１】
2004047004.tif 000003
【図２】
2004047004.tif 000004
【図３】
2004047004.tif 000005